(57)【要約】      （修正有）【課題】本考案は、睡眠中の寝返りをスムーズに行うようにすることにより安眠が妨げるのを減少することができる寝返スムーズピローを提供する。【解決手段】寝返スムーズピロー１０のピローケースにはポリプロピレン樹脂で形成されたベースプレート１４が収容されている。ベースプレート１４のベースプレート一端部１６とベースプレート他端部１８の間のベースプレート中間部２０は上方に湾曲形成されている。ベースプレート一端部１６には低反発ウレタン材で形成された第１ピローサイド部の芯体である第１サイドユニット芯体４０が載置され、ベースプレート他端部１８には低反発ウレタン材で形成された第２ピローサイド部の芯体である第２サイドユニット芯体４４が載置されている。また、ベースプレート中間部２０には低反発ウレタン材で形成されたピローセンター部の芯体であるセンターユニット芯体５０が配設されている。【選択図】図１
0003109979.tif 000002
【実用新案登録請求の範囲】
【請求項１】
ピローケースと、このピローケースに収容されると共に反発力を有する弾性体で形成されたベースプレートと、このベースプレートのベースプレート一端部とベースプレート他端部の間に形成されると共にベースプレート一端部とベースプレート他端部によって支持されたベースプレート中間部と、前記ベースプレート一端部に第１ピローサイド部の芯体として載置されると共に低反発素材で厚みをもって形成された第１サイドユニット芯体と、前記ベースプレート他端部に第２ピローサイド部の芯体として載置されると共に低反発素材で厚みをもって形成された第２サイドユニット芯体と、前記ベースプレート中間部にピローセンター部の芯体として載置されると共に低反発素材で厚みをもって形成されたセンターユニット芯体と、を有してなることを特徴とする寝返スムーズピロー。
【請求項２】
ピローケースと、このピローケースに収容されると共に反発力を有する弾性体で形成されたベースプレートと、このベースプレートのベースプレート一端部とベースプレート他端部の間に形成されると共にベースプレート一端部とベースプレート他端部によって支持されたベースプレート中間部と、前記ベースプレート一端部に第１ピローサイド部の芯体として載置されると共に低反発素材で厚みをもって平面視略楕円形状に形成された第１サイドユニット芯体と、前記ベースプレート他端部に第２ピローサイド部の芯体として載置されると共に低反発素材で厚みをもって平面視略楕円形状に形成された第２サイドユニット芯体と、前記ベースプレート中間部にピローセンター部の芯体として載置されると共に低反発素材で厚みをもって形成されたセンターユニット芯体と、を有してなることを特徴とする寝返スムーズピロー。
【請求項３】
ピローケースと、このピローケースに収容されると共にポリプロピレン樹脂で形成されたベースプレートと、このベースプレートのベースプレート一端部とベースプレート他端部の間に形成されると共に前記ベースプレート一端部とベースプレート他端部によって支持されたベースプレート中間部と、前記ベースプレート一端部に貫通形成された第１通気開口部と、前記ベースプレート他端部に貫通形成された第２通気開口部と、前記ベースプレート一端部に第１ピローサイド部の芯体として載置されると共に低反発ウレタン材で厚みをもって平面視略楕円形状に形成された第１サイドユニット芯体と、前記ベースプレート他端部に第２ピローサイド部の芯体として載置されると共に低反発ウレタン材で厚みをもって平面視略楕円形状に形成された第２サイドユニット芯体と、前記ベースプレート中間部にピローセンター部の芯体として載置されると共に低反発ウレタン材で厚みをもって形成されたセンターユニット芯体と、を有してなることを特徴とする寝返スムーズピロー。
【請求項４】
通気性に富んだ生地で形成されたピローケースと、このピローケースに収容されると共にポリプロピレン樹脂で形成されたベースプレートと、このベースプレート一端部とベースプレート他端部の間に上方に向って湾曲形成されると共に前記ベースプレート一端部とベースプレート他端部によって支持されたベースプレート中間部と、前記ベースプレート一端部に貫通形成された第１通気開口部と、前記ベースプレート他端部に貫通形成された第２通気開口部と、前記ベースプレート一端部に複数貫通形成された第１係止孔と、前記ベースプレート他端部に複数貫通形成された第２係止孔と、前記ベースプレート中間部に複数貫通形成された中間係止孔と、前記ベースプレート中間部に貫通形成された係止紐挿通孔と、この係止紐挿通孔に並んで貫通形成された一対の係止紐係止片形成孔と、これら係止紐係止片形成孔に突設形成された係止紐係止片と、前記ベースプレート一端部に第１ピローサイド部の芯体として載置されると共に低反発ウレタン材で厚みをもって平面視略楕円形状に形成された第１サイドユニット芯体と、この第１サイドユニット芯体の底面に複数突設されて前記第１係止孔に挿入される第１係止突起と、前記ベースプレート他端部に第２ピローサイド部の芯体として載置されると共に低反発ウレタン材で厚みをもって平面視略楕円形状に形成された第２サイドユニット芯体と、この第２サイドユニット芯体の底面に複数突設されて前記第２係止孔に挿入される第２係止突起と、前記ベースプレート中間部にピローセンター部の芯体として載置されると共に低反発ウレタン材で厚みをもって形成されたセンターユニット芯体と、このセンターユニット芯体の底面に複数突設されて前記中間係止孔に挿入されるセンター係止突起と、を有してなることを特徴とする寝返スムーズピロー。
【考案の詳細な説明】
【技術分野】
【０００１】
本考案は、睡眠中に行われる寝返りをスムーズに行うことができる寝返スムーズピローに関する。
【背景技術】
【０００２】
通常、健康な人は一晩の睡眠中に平均約２０回から約３０回程度の寝返りを行うといわれているが、多数行われる寝返りによって安眠を妨げられる場合がある。
従って、一晩で約２０回から約３０回程度も行われている寝返りをスムーズに行うことは安眠にもつながる。
しかし、従来の枕は主に頭部や首部を適正高さに支持することに重きが置かれた構造であり、寝返りをスムーズに行うことには注目が置かれていなかった。
この結果、従来の枕においては睡眠中に寝返りをスムーズに行えない場合がある。
【考案の開示】
【考案が解決しようとする課題】
【０００３】
本考案は、上記事実に鑑みなされたものであり一晩で約２０回〜約３０回も行われる寝返りをスムーズに行うことができるようにすることにより安眠が妨げられるのを減少させることができる寝返スムーズピローを提供するものである。
【課題を解決するための手段】
【０００４】
請求項１の考案は、ピローケースと、このピローケースに収容されると共に反発力を有する弾性体で形成されたベースプレートと、このベースプレートのベースプレート一端部とベースプレート他端部の間に形成されると共にベースプレート一端部とベースプレート他端部によって支持されたベースプレート中間部と、前記ベースプレート一端部に第１ピローサイド部の芯体として載置されると共に低反発素材で厚みをもって形成された第１サイドユニット芯体と、前記ベースプレート他端部に第２ピローサイド部の芯体として載置されると共に低反発素材で厚みをもって形成された第２サイドユニット芯体と、前記ベースプレート中間部にピローセンター部の芯体として載置されると共に低反発素材で厚みをもって形成されたセンターユニット芯体と、を有してなることを特徴としている。
請求項２の考案は、ピローケースと、このピローケースに収容されると共に反発力を有する弾性体で形成されたベースプレートと、このベースプレートのベースプレート一端部とベースプレート他端部の間に形成されると共にベースプレート一端部とベースプレート他端部によって支持されたベースプレート中間部と、前記ベースプレート一端部に第１ピローサイド部の芯体として載置されると共に低反発素材で厚みをもって平面視略楕円形状に形成された第１サイドユニット芯体と、前記ベースプレート他端部に第２ピローサイド部の芯体として載置されると共に低反発素材で厚みをもって平面視略楕円形状に形成された第２サイドユニット芯体と、前記ベースプレート中間部にピローセンター部の芯体として載置されると共に低反発素材で厚みをもって形成されたセンターユニット芯体と、を有してなることを特徴としている。
請求項３の考案は、ピローケースと、このピローケースに収容されると共にポリプロピレン樹脂で形成されたベースプレートと、このベースプレートのベースプレート一端部とベースプレート他端部の間に形成されると共に前記ベースプレート一端部とベースプレート他端部によって支持されたベースプレート中間部と、前記ベースプレート一端部に貫通形成された第１通気開口部と、前記ベースプレート他端部に貫通形成された第２通気開口部と、前記ベースプレート一端部に第１ピローサイド部の芯体として載置されると共に低反発ウレタン材で厚みをもって平面視略楕円形状に形成された第１サイドユニット芯体と、前記ベースプレート他端部に第２ピローサイド部の芯体として載置されると共に低反発ウレタン材で厚みをもって平面視略楕円形状に形成された第２サイドユニット芯体と、前記ベースプレート中間部にピローセンター部の芯体として載置されると共に低反発ウレタン材で厚みをもって形成されたセンターユニット芯体と、を有してなることを特徴としている。
請求項４の考案は、通気性に富んだ生地で形成されたピローケースと、このピローケースに収容されると共にポリプロピレン樹脂で形成されたベースプレートと、このベースプレート一端部とベースプレート他端部の間に上方に向って湾曲形成されると共に前記ベースプレート一端部とベースプレート他端部によって支持されたベースプレート中間部と、前記ベースプレート一端部に貫通形成された第１通気開口部と、前記ベースプレート他端部に貫通形成された第２通気開口部と、前記ベースプレート一端部に複数貫通形成された第１係止孔と、前記ベースプレート他端部に複数貫通形成された第２係止孔と、前記ベースプレート中間部に複数貫通形成された中間係止孔と、前記ベースプレート中間部に貫通形成された係止紐挿通孔と、この係止紐挿通孔に並んで貫通形成された一対の係止紐係止片形成孔と、これら係止紐係止片形成孔に突設形成された係止紐係止片と、前記ベースプレート一端部に第１ピローサイド部の芯体として載置されると共に低反発ウレタン材で厚みをもって平面視略楕円形状に形成された第１サイドユニット芯体と、この第１サイドユニット芯体の底面に複数突設されて前記第１係止孔に挿入される第１係止突起と、前記ベースプレート他端部に第２ピローサイド部の芯体として載置されると共に低反発ウレタン材で厚みをもって平面視略楕円形状に形成された第２サイドユニット芯体と、この第２サイドユニット芯体の底面に複数突設されて前記第２係止孔に挿入される第２係止突起と、前記ベースプレート中間部にピローセンター部の芯体として載置されると共に低反発ウレタン材で厚みをもって形成されたセンターユニット芯体と、このセンターユニット芯体の底面に複数突設されて前記中間係止孔に挿入されるセンター係止突起と、を有してなることを特徴としている。
【考案の効果】
【０００５】
本考案の寝返スムーズピローは、一晩に約２０〜約３０回も行われる寝返りをスムーズに行うことができることにより安眠の妨げを減少させることができるという優れた効果を有する。
【考案を実施するための最良の形態】
【０００６】
考案を実施するために最良の形態の例として以下のような実施例を示す。
【実施例１】
【０００７】
図１〜図４には本考案の寝返スムーズピロー１０の一実施例が示されている。
図４に示されるように、寝返スムーズピロー１０の全体形状は第１ピローサイド部１０Ａと第２ピローサイド部１０Ｂがピローセンター部１０Ｃよりも少し盛り上がるようにして形成されている。
また、前記寝返スムーズピロー１０の袋状のピローケース１２は通気性に優れたメッシュ地で形成されている。
このピローケース１２の内部には図２に示されるようなベースプレート１４が配設されている。このベースプレート１４は弾性に富んだポリプロピレン樹脂で一体形成されている。
図１に示されるように、前記ベースプレート１４のベースプレート一端部１６とベースプレート他端部１８との間に形成されたベースプレート中間部２０は上方に向って僅かに湾曲して形成されている。従って、ベースプレート中間部２０は前記ベースプレート一端部１６とベースプレート他端部１８によって少し持ち上げられた状態に支持された形状に形成されている。
図２示されるように、前記ベースプレート一端部１６には第１通気開口部２２が貫通形成され、ベースプレート他端部１８には第２通気開口部２４が貫通形成されている。ベースプレート１４に第１通気開口部２２及び第２通気開口部２４を設けることにより、寝返スムーズピロー１０の通気性をよくしている。
また、前記ベースプレート一端部１６の第１通気開口部２２の周囲には小径の第１係止孔２６が４個貫通形成され、前記ベースプレート他端部１８の第２通気開口部２４の周囲にも小径の第２係止孔２８が４個貫通形成されている。さらに、前記ベースプレート中間部２０にも中間係止孔３０が４個貫通形成されている。
また、前記ベースプレート中間部２０の中央には係止紐挿通孔３２が貫通形成されると共にこの係止紐挿通孔３２に並んで一対の係止紐係止片形成孔３４が貫通形成されている。これら係止紐係止片形成孔３４には係止紐係止片３５がそれぞれ突設形成されている。
前記ベースプレート一端部１６には前記第１ピローサイド部１０Ａの芯体としての第１サイドユニット芯体４０が載置されるようになっている。この第１サイドユニット芯体４０は低反発ウレタン材で厚みをもって形成されると共に平面視略楕円形状に形成されている。また、前記第１サイドユニット芯体４０の底面には第１係止突起４２が４個突設されて前記第１係止孔２６に挿入されるようになっている（図３参照）。従って、前記第１係止突起４２を前記第１係止孔２６に挿入すると第１サイドユニット芯体４０はベースプレート１４から脱落しにくくなっている。
また、前記ベースプレート他端部１８には前記第２ピローサイド部１０Ｂの芯体としての第２サイドユニット芯体４４が載置されるようになっている。この第２サイドユニット芯体４４は低反発ウレタン材で厚みをもって形成されると共に平面視略楕円形状に形成されている。また、前記第２サイドユニット芯体４４の底面には第２係止突起４６が４個突設されて前記第２係止孔２８に挿入されるようになっている（図３参照）。従って、前記第２係止突起４６を前記第２係止孔２８に挿入すると第２サイドユニット芯体４４はベースプレート１４から脱落しにくくなっている。
また、前記ベースプレート中間部２０には前記ピローセンター部１０Ｃの芯体としてのセンターユニット芯体５０が配設されるようになっている。このセンターユニット芯体５０も低反発ウレタン材で厚みを持って一体形成されている。このセンターユニット芯体５０の底面にはセンター係止突起５２が４個突設されて前記中間係止孔３０に挿入されるようになっている。従って、前記センター係止突起５２を前記中間係止孔３０に挿入するとセンターユニット芯体５０はベースプレート１４から脱落しにくくなっている。
図１に示されるように、前記センターユニット芯体５０の一端部５０Ａは前記第１サイドユニット芯体４０と少しオーバーラップし、センターユニット芯体５０の他端部５０Ｂは前記第２サイドユニット芯体４４と少しオーバーラップするようになっている。
図２に示されるように、前記センターユニット芯体５０の中央部にはスリット５４が形成され、前記ピローケース１２の内側面に取り付けられた係止ゴム紐５６（図３参照）を挿通できるようになっている。なお、図３に示されるように、この係止ゴム紐５６は前記ベースプレート１４の係止紐挿通孔３２に挿通されてから一方の係止紐係止片形成孔３４に挿通された後に係止紐係止片３５に係止されるようになっている。
【０００８】
実施例の寝返スムーズピロー１０を使用した場合を例にして寝返りスムーズピロー１０の作用を説明する。
この寝返スムーズピロー１０を使用して寝る場合は頭部及び首部を寝返スムーズピロー１０のピローセンター部１０Ｃに対応させて寝る。このため、湾曲している前記ベースプレート中間部２０はセンターユニット芯体５０を介して頭部と首部等の重みにより下方に押される状態となる。
この状態で、睡眠中に使用者が図４に示されるように寝返りをしようとして寝返スムーズピロー１０の第１ピローサイド部１０Ａに頭部及び首部が移行すると頭部及び首部の重みで下方に押されていたベースプレート中間部２０はスプリング効果で上方に向って反発する。このため、頭部及び首部は前記ベースプレート中間部２０及びセンターユニット芯体５０に後押しされるような状態で寝返りをすることができる。
従って、使用者が第１ピローサイド部１０Ａ又は第２ピローサイド部１０Ｂに寝返りをする場合は前記ベースプレート中間部２０とセンターユニット芯体５０に後押しされるような状態で寝返りをすることができるのでスムーズに寝返りを行うことができる。
この結果、一晩に平均して約２０回〜約３０回程度と多くの寝返りを行っても寝返りをスムーズに行うことができるので、寝返りによって安眠を妨げられることを減少させることができる。
【０００９】
なお、実施例ではベースプレート１４のベースプレート一端部１６とベースプレート他端部１８との間に形成されたベースプレート中間部２０を上方に向って湾曲させることによりベースプレート中間部２０をベースプレート一端部１６とベースプレート他端部１８で支持するように形成したが、前記ベースプレート中間部２０をベースプレート一端部１６とベースプレート他端部１８で支持するのであれば、前記構成に限定されるものでないことは勿論である。
また、実施例ではベースプレート１４を弾性に富んだポリプロピレン樹脂で一体形成した場合を示したが、ベースプレート１４の材料は弾性に富んだ材料であればポリプロピレン樹脂に限定されるものでないことは勿論である。
なお、実施例では第１サイドユニット芯体４０、第２サイドユニット芯体４４、センターユニット芯体芯体５０を低反発材料である低反発ウレタン材で形成したが、低反発材料であれば低反発ウレタン材に限定されるものでないことは勿論である。
【図面の簡単な説明】
【００１０】
【図１】実施例の寝返スムーズピローのベースプレートと第１サイドユニット芯体、第２サイドユニット芯体、センターユニット芯体の関係を示す概略図である。
【図２】実施例の寝返スムーズピローのベースプレートと第１サイドユニット芯体、第２サイドユニット芯体、センターユニット芯体の分解斜視図である。
【図３】実施例の寝返スムーズピローのベースプレートの底面図である。
【図４】実施例の寝返スムーズピローの使用状態を示す斜視図である。
【符号の説明】
【００１１】
１０    寝返スムーズピロー
１２    ピローケース
１４    ベースプレート
１６    ベースプレート一端部
１８    ベースプレート他端部
２０    ベースプレート中間部
２２    第１通気開口部
２４    第２通気開口部
４０    第１サイドユニット芯体
４４    第２サイドユニット芯体
５０    センターユニット芯体
【図１】
0003109979.tif 000003
【図２】
0003109979.tif 000004
【図３】
0003109979.tif 000005
【図４】
0003109979.tif 000006